(57)【要約】      （修正有）【課題】電子部品を所望に基板に配置できるとともに、電子部品が寿命になると動作を停止する電気機器およびこの電気機器を具備する照明器具を提供する。【解決手段】電気機器は、電気回路を構成する複数の電子部品と、電子部品から選択された特定の電子部品Ｑ１をはんだ付けしている第１のランド１５と、特定の電子部品Ｑ１を除く他の電子部品３をはんだ付けしている第２のランド１６とを有してなり、第１のランド１５の形状が第２のランド１６の一部を切り欠くことにより小さくなるように形成され、第１のランドの切り欠き部に相当する箇所のはんだ量２２ａがゲートＱ１ａの周りの残余の部分をはんだ付けしているはんだ部分２２ｂのはんだ量よりも少ないものとなっている回路基板２と、回路基板２を収納しているケースとを具備している。【選択図】図３
2009290065.tif 000002
【特許請求の範囲】
【請求項１】
電気回路を構成する複数の電子部品と；
この電子部品から選択された特定の電子部品をはんだ付けしている第１のランドと、前記特定の電子部品を除く他の電子部品をはんだ付けしている第２のランドとを有してなり、第１のランドの形状が第２のランドよりも小さくなるように形成されている回路基板と；
この回路基板を収納しているケースと；
を具備していることを特徴とする電気機器。
【請求項２】
第１のランドは、その中心部と外周端との距離が小さくなっている部分を有していることで第２のランドよりも小さくなるように形成されていることを特徴とする請求項１記載の電気機器。
【請求項３】
特定の電子部品は、電気回路に設けられたスイッチング素子であり、その制御用端子が第１のランドにはんだ付けされていることを特徴とする請求項１または２記載の電気機器。
【請求項４】
電気回路が放電ランプを点灯させるように構成された請求項１ないし３いずれか一記載の電気機器と；
この電気機器により点灯される放電ランプと；
電気機器および放電ランプを配設している器具本体と；
を具備していることを特徴とする照明器具。
【発明の詳細な説明】
【技術分野】
【０００１】
本発明は、電子部品を実装した回路基板をケースに収納して形成される電気機器およびこの電気機器により点灯される照明器具に関する。
【背景技術】
【０００２】
蛍光ランプ等の放電ランプを点灯させる点灯回路は、回路基板に実装された複数の電子部品および電気部品などから構成され、例えば金属製のケースに収納されている。そして、当該電子部品の一部には、寿命や異常状態になると異常発熱するものがあり、その熱により、電子部品自体が発火するおそれがある。
【０００３】
この不具合を解消するために、電子部品が異常発熱すると、点灯回路の動作を停止するように構成されたものがある。例えば、発熱部品に近接または接触する状態で配置された受熱コンデンサが所定温度に達したときに、ショートモードで破損する点灯ユニットが提案されている（特許文献１参照。）。この従来技術の点灯ユニットは、例えば発熱部品である対をなす一方のトランジスタおよび正温度特性抵抗素子の近傍に受熱コンデンサとしての箔タイプのフィルムコンデンサがそれぞれ配設されている。
【０００４】
そして、一方のフィルムコンデンサが破損すると、当該フィルムコンデンサを通って対をなす他方のトランジスタに過電流が供給されて、当該トランジスタが破損して回路の機能が停止し、他方のフィルムコンデンサが破損すると、蛍光ランプが消灯し、フィラメント電極が予熱電流によって溶断して回路の機能が停止するものである。
【０００５】
また、電子部品の寿命部品が破損等しにくく構成された点灯装置が提案されている（特許文献２参照。）。この従来技術の点灯装置は、樹脂ケースの一対の側板に設けられた通気用開口部を結ぶ通岐路の幅方向の中心付近のプリント基板に、点灯装置の寿命を決定する電子部品例えばアルミニウム電解コンデンサ部品を実装しているものである。寿命部品の空気の対流による冷却効果が良好となり、点灯装置が延命になるというものである。
【特許文献１】特開２００６−２７８３２５号公報（第１２頁、第４図）
【特許文献２】特許第３９００５８２号公報（第１２頁、第３４図）
【発明の開示】
【発明が解決しようとする課題】
【０００６】
特許文献１の点灯ユニットは、トランジスタや抵抗素子などの発熱部品に接触または近接するように受熱コンデンサを配設するので、基板に実装する電子部品の配置に対する自由度が低下するという欠点を有する。
【０００７】
特許文献２の点灯装置は、通気用開口部を結ぶ通気路の幅方向の中心付近のプリント基板に、電子部品のうちの寿命部品を配置するので、電子部品をプリント基板に配置する自由度が低下するという欠点を有する。また、点灯装置は、器具本体内に配設される場合が多く、この場合、通気用開口部を結ぶ通気路に空気の流れが生じにくくなって、寿命部品の冷却効果が期待できず、寿命部品を延命させることができないことがある。
【０００８】
本発明は、電子部品を所望に基板に配置できるとともに、電子部品が寿命になると動作を停止する電気機器およびこの電気機器を具備する照明器具を提供することを目的とする。
【課題を解決するための手段】
【０００９】
請求項１に記載の電気機器の発明は、電気回路を構成する複数の電子部品と；この電子部品から選択された特定の電子部品をはんだ付けしている第１のランドと、前記特定の電子部品を除く他の電子部品をはんだ付けしている第２のランドとを有してなり、第１のランドの形状が第２のランドよりも小さくなるように形成されている回路基板と；この回路基板を収納しているケースと；を具備していることを特徴とする。
【００１０】
本発明および以下の各発明において、特に言及しない限り、各構成は以下による。
【００１１】
第１および第２のランドは、面実装形部品を実装するパッドを包含する。
【００１２】
特定の電子部品は、例えば他の電子部品よりも発熱する発熱部品である。
【００１３】
「第１のランドの形状が第２のランドよりも小さくなるように形成されている」とは、回路基板の表面（実装面）に露出している第１のランドの面積が回路基板の表面に露出している第２のランドの面積よりも小さいことを意味する。これにより、第１のランドは、その外周端と特定の電子部品の電極（リードやリードフレームなど）との距離が第２のランドの外周端と電子部品の電極との距離よりも短くなる部分が存在する。
【００１４】
第２のランドは、第１のランドと同等に形成することができるものである。しかし、この場合、第２のランドに塗布されるはんだ量が少なくなるため、多数の電子部品のうちには、はんだ付け不良となるものが現れることが懸念される。したがって、本願発明は、第２のランドをはんだが十分に塗布される大きさとし、小さいはんだ付け面に形成された第１のランドにおける特定の電子部品のはんだ付けを確認するようにすればよいものである。
【００１５】
本発明によれば、電気回路のオンオフ動作に応じて特定の電子部品が発熱および冷却を繰り返すと、特定の電子部品と第１のランドとをはんだ付けしているはんだは、熱膨張および熱収縮を繰り返す。そして、特定の電子部品が寿命に達するまでには、はんだに熱膨張および熱収縮の繰り返しによってクラックが発生し、このクラックが特定の電子部品の電極の周りに拡大し、特定の電子部品と第１のランドとの電気接続が不良となる。これにより、特定の電子部品に電流が流れなくなって電気回路の動作が停止する。
【００１６】
請求項２に記載の電気機器の発明は、請求項１記載の電気機器において、第１のランドは、その中心部と外周端との距離が小さくなっている部分を有していることで第２のランドよりも小さくなるように形成されていることを特徴とする。
【００１７】
第１のランドのはんだ付け面の形状は、特に問わない。また、当該はんだ付け面の面積は、第２のランドのはんだ付け面の面積よりも大きくてもよい。
【００１８】
本発明によれば、特定の電子部品と、第１のランドの中心部と外周端との距離が小さくなっている部分との間に固化しているはんだは、そのはんだ量が第１のランドの前記部分を除く周りのはんだ量よりも少なくなり、特定の電子部品の発熱および冷却に応じた熱膨張および熱収縮の変化量が大きくなる。これにより、第１のランドの前記部分に固化しているはんだ部分にクラックが発生しやすくなり、特定の電子部品が寿命に達するまでには、クラックが特定の電子部品の電極の周りに拡大し、特定の電子部品と第１のランドとの電気接続が不良となる。これにより、特定の電子部品に電流が流れなくなって電気回路の動作が停止する。
【００１９】
請求項３に記載の電気機器の発明は、請求項１または２記載の電気機器において、特定の電子部品は、電気回路に設けられたスイッチング素子であり、その制御用端子が第１のランドにはんだ付けされていることを特徴とする。
【００２０】
本発明によれば、スイッチング素子の制御用端子に流れる電流は小さいので、第１のランドが小さくてもスイッチング素子のオンオフ制御に対する影響は少なく、かつ第１のランドにクラックが発生したときにアークなどが発生するなどの不具合が生じにくい。
【００２１】
請求項４に記載の照明器具の発明は、電気回路が放電ランプを点灯させるように構成された請求項１ないし３いずれか一記載の電気機器と；この電気機器により点灯される放電ランプと；電気機器および放電ランプを配設している器具本体と；を具備していることを特徴とする。
【００２２】
本発明によれば、請求項１ないし３いずれか一記載の電気機器を配設する照明器具が提供される。
【発明の効果】
【００２３】
請求項１の発明によれば、電子部品から選択された特定の電子部品が寿命になるまでに当該特定の電子部品を第１のランドはんだ付けしているはんだ部分にクラックが発生して電気回路の動作が停止するように構成されているので、第１および第２のランドや配線パターンなどを所望に形成することにより電子部品を回路基板に所望に配置する設計自由度を向上させることができるとともに、電子部品の発火を防止することができて電気機器の安全性を確保することができる。
【００２４】
請求項２の発明によれば、第１のランドの中心部と外周端との距離が小さくなっている部分と、電子部品から選択された特定の電子部品との間に固化するはんだ量が前記部分を除く周りのはんだ量よりも少なくなるように形成され、これにより特定の電子部品と第１のランドの前記部分に固化しているはんだ部分にクラックを発生しやすくしているので、特定の電子部品が寿命に達するまでには、安定的に電気回路の動作を停止させることができ、特定の電子部品の寿命による電気機器の安全性を向上させることができる。
【００２５】
請求項３の発明によれば、スイッチング素子のオンオフ制御における制御用端子に流れる電流は小さいので、第２のランドよりも小さく形成された第１のランドにスイッチング素子の制御用端子をはんだ付けすることにより、第１のランドにクラックが発生したときに、大電流によるアークの発生などの不具合が発生することを防止することができる。
【００２６】
請求項４の発明によれば、請求項１ないし３いずれか一記載の電気機器を具備するので、電子部品の寿命による放電ランプの異常点灯や電気機器からの発火が防止される照明器具を提供することができる。
【発明を実施するための最良の形態】
【００２７】
以下、本発明の一実施の形態について、図面を参照して説明する。まず、本発明の第１の実施形態について説明する。
【００２８】
図１〜図７は、本発明の第１の実施形態を示し、図１は電気機器を示し、（ａ）は概略縦断面図、（ｂ）は（ａ）のＡ−Ａ方向の概略断面図、図２は電子部品がはんだ付けされる前のランドを示し、（ａ）は第１のランドの概略上面図、（ｂ）は第２のランドの概略上面図、図３は電子部品がはんだ付けされているランドを示し、（ａ）は第１のランドの概略断面図、（ｂ）は第２のランドの概略断面図、図４は電子部品がはんだ付けされる前のパッドを示し、（ａ）は第１のパッドの概略上面図、（ｂ）は第２のパッドの概略上面図、図５は電子部品がはんだ付けされているパッドを示し、（ａ）は第１のパッドの概略断面図、（ｂ）は第２のパッドの概略断面図、図６は電気機器の電気回路図、図７は他の第１のランドの概略上面図である。
【００２９】
図１において、電気機器１は、放電ランプを点灯させる放電ランプ用点灯装置であり、回路基板２、電子部品３およびケース４を有して構成されている。
【００３０】
回路基板２は、長方形状の例えばガラスエポキシ材や紙フェノール材などからなり、電気回路としての放電ランプを点灯させる点灯回路５を構成している点灯回路部品６を実装している。点灯回路部品６には、電子部品３が含まれている。図６は、点灯回路５の一例を示したものである。点灯回路５は、点灯回路部品６を用いて、それぞれ周知技術である直流電源回路７、チョッパ回路８、インバータ回路９、共振回路１０、チョッパ回路用集積回路１１、インバータ回路用集積回路１２および動作電源回路１３を有して構成されている。点灯回路５は、放電ランプとしての蛍光ランプ１４を高周波点灯させる。
【００３１】
そして、回路基板２は、図１に示すように、一方の面（下面）２ａにチップ部品（面実装形部品）であるトランジスタＱ２，Ｑ３を実装し、他方の面(上面)２ｂにディスクリート部品であるトランジスタＱ１，コンデンサＣ１、背の低いコンデンサＣ２、抵抗Ｒ１、ダイオードＤ１、トランスＴ１、ＩＣ素子ＩＣ１などの電子部品３や図示しないインダクタなど、図６に示す点灯回路５の点灯回路部品６を実装している。
【００３２】
回路基板２は、図２に示すように、上面２ｂにディスクリート部品をはんだ付けする第１のランド１５および第２のランド１６が形成され、図４に示すように、下面２ａにチップ部品をはんだ付けする第１のパッド１７および第２のパッド１８が形成されている。
【００３３】
第１および第２のランド１５，１６は、銅箔により同等の円状にそれぞれ形成されて、それぞれの中心部に楕円状または円状の孔１９および円状の孔２０が形成されている。そして、第２のランド１６は、はんだが充分に塗布される周知の大きさに形成されている。第１のランド１５は、第２のランド１６において、一部分に略Ｕ字状の切り欠き部２１が形成されたものであり、第２のランド１６よりも小さいはんだ付け面（表面積）に形成されている。すなわち、第１のランド１５は、孔１９の縁と切り欠き部２１の外周端との最小距離Ｌ１が第２のランド１６の孔２０の縁と第２のランド１６の外周端との最小距離Ｌ２よりも小さくなるように形成されている。
【００３４】
そして、第１のランド１５は、電子部品３のディスクリート部品から選択された特定の電子部品としての発熱部品、例えば電界効果トランジスＱ１のゲート（制御端子）Ｑ１ａをはんだ付けしている。そして、電界効果トランジスＱ１のゲートＱ１ａと第１のランド１５の切り欠き部２１が形成されている一部分との間に固化しているはんだ部分２２ａは、図３（ａ）に示すように、そのはんだ量がゲートＱ１ａの周りの残余の部分をはんだ付けしているはんだ部分２２ｂのはんだ量よりも少ないものとなっている。
【００３５】
第２のランド１６は、電子部品３から選択された電界効果トランジスＱ１を除く他の電子部品３のうちのディスクリート部品をはんだ付けしている。そのディスクリート部品と第２のランドとをはんだ付けしているはんだ２２は、図３（ｂ）に示すように、ディスクリート部品のリード２３の周りに略均等に固化している。
【００３６】
第１および第２のパッド１７，１８は、それぞれ銅箔により３部分に形成されている。そして、第２のパッド１８は、図５（ｂ）に示すように、互いに平行に形成された長方形のパット部１８ａ，１８ｂおよびパット部１８ａ，１８ｂと直交するように形成された長方形のパット部１８ｃに形成されている。パット部１８ａ，１８ｂ，１８ｃは、チップ部品の接合面積よりも充分に大きく、はんだ２２が充分に塗布される周知の大きさに形成されている。
【００３７】
第１のパッド１７は、図５（ａ）に示すように、そのパット部１７ａ，１７ｂが第２のパット部１８ａ，１８ｂと同様に形成されている。しかし、パット部１７ｃは、チップ部品の接合面積よりも大きいが、幅Ｗ１が第２のパット１８のパット部１８ｃの幅Ｗ２よりも小さく、パッド部１８ｃよりも小さいはんだ付け面に形成されている。すなわち、第１のパッド１７は、パッド部１７ｃに塗布されるはんだ量が第２のパット部１８ｃに塗布されるはんだ量よりも少ないものである。
【００３８】
そして、第１のパッド１７は、電子部品３のチップ部品から選択された特定の電子部品としての発熱部品、例えば電界効果トランジスＱ３をはんだ付けしている。すなわち、図５（ａ）に示すように、電界効果トランジスＱ３のゲート（制御端子）、ドレインＱ３ｂ、ソースＱ３ｃが第１のパット１７のパッド部１７ａ，１７ｂ，１７ｃにそれぞれはんだ付けされている。また、第２のパッド１８は、電界効果トランジスＱ３を除く他のチップ部品、例えば電界効果トランジスタＱ２をはんだ付けしている。電界効果トランジスＱ２は、図５（ｂ）に示すように、そのドレイン、ソースＱ２ｂ、ゲート（制御用端子）Ｑ２ｃが第２のパット１８のパッド部１８ａ，１８ｂ，１８ｃにそれぞれはんだ付けされている。
【００３９】
電界効果トランジスＱ３のソースＱ３ｃと第１のパット１７のパッド部１７ｃの一端との距離Ｌ３は、電界効果トランジスＱ２のソースＱ２ｃと第２のパット１８のパッド部１８ｃの一端との距離Ｌ４よりも小さくなっている。すなわち、電界効果トランジスタＱ３のゲートＱ３ｃと第１のパッド１７のパッド部１７ｃとの間に（塗布）固化しているはんだ量は、電界効果トランジスタＱ２のゲートＱ２ｃと第２のパッド１８のパッド部１８ｃとの間に固化しているはんだ量よりも少なくなっている。
【００４０】
図１において、ケース４は、それぞれ金属製例えばアルミニウム（Ａｌ）からなるケース底板２０およびケース蓋体２１からなっている。ケース底板２０は、図１（ａ）に示すように、１枚の平板を折り曲げて底板部２２および一対の立上部２３，２３に形成した矩形状の長尺枠体である。すなわち、底板部２２は、長方形状に形成され、一対の立上部２３，２３は、底板部２２に対して直角に折り曲げられ、底板部２２の長手方向に沿う両側に互いの平面が対向するように設けられている。
【００４１】
ケース蓋体２１は、１枚の長方平板を折り曲げて、一対の側板部２４，２４およびこの側板部２４，２４に跨る天板部２５を有する長尺枠体に形成されている。そして、ケース蓋体２１は、ケース底板２０の一対の立上部２３，２３に被さるようにしてケース底板２０に取り付けられている。すなわち、一対の側板部２４，２４には、図１（ｂ）に示すように、係止片２６，２６が設けられており、この係止片２６，２６がケース底板２０の一対の立上部２３，２３に設けられた係止孔２７，２７に折り曲げられて挿入されて係止されている。
【００４２】
そして、ケース底板２０の一対の立上部２３，２３に設けられた係止片２８，２８がケース底板２０の内側に折り曲げられており、この係止片２８，２８に回路基板２が載置されている。回路基板２の係止片２８，２８への載置は、ケース蓋体２１の係止片２６，２６が係止孔２７，２７側に折り曲げられる前に行われる。回路基板２は、一方の面２ａおよび他方の面２ｂがケース底体２０の係止片２８，２８およびケース蓋体２１の係止片２６，２６により挟持されるようにして支持され、ケース底体２０の立上部２３，２３の立上方向（図１中、上下方向）への移動が規制されている。
【００４３】
また、ケース底板２０の底板部２２には、図１（ｂ）に示すように、長手方向の両端部２２ａ，２２ｂにそれぞれ切り起し片２９，２９が設けられている。切り起し片２９，２９は、係止片２６，２６および係止片２８，２８に支持された回路基板２がその長手方向に移動するときに当接し、当該移動を規制する。
【００４４】
こうして、回路基板２は、ケース４に収納されている。そして、ケース蓋体２１の側板部２４，２４および天板部２５には、図示しない通気用のスリットが設けられている。また、ケース底板２０の底板部２２の両端部２２ａ，２２ｂには、それぞれ図示しない入力用および出力用の端子台が設けられている。
【００４５】
次に、本発明の第１の実施形態の作用について述べる。
【００４６】
図６において、商用交流電源Ｖｓが投入されると、チョッパ回路用集積回路１１により、チョッパ回路８の電界効果トランジスタＱ１がオンオフ制御され、コンデンサＣ３の両端間に所定の直流電圧が発生する。また、インバータ回路用集積回路１２により、インバータ回路９の電界効果トランジスタＱ２，Ｑ３が交互にオンオフ制御される。そして、共振回路１０の共振による高周波交流電圧が蛍光ランプ１４に印加されて、蛍光ランプ１４が点灯する。
【００４７】
そして、チョッパ回路８の電界効果トランジスタＱ１は、オンオフ動作により発熱して温度上昇する。また、インバータ回路９の電界効果トランジスタＱ２，Ｑ３もオンオフ動作により発熱して温度上昇する。
【００４８】
そして、商用交流電源Ｖｓの投入が停止されると、チョッパ回路８の電界効果トランジスタＱ１のオンオフ動作が停止し、インバータ回路９の電界効果トランジスタＱ２，Ｑ３の動作が停止して、蛍光ランプ１４が消灯する。これにより、電界効果トランジスタＱ１および電界効果トランジスタＱ２，Ｑ３のそれぞれの温度が雰囲気温度まで低下していく。
【００４９】
このように、商用交流電源Ｖｓの投入および停止に応じて、電界効果トランジスタＱ１および電界効果トランジスタＱ２，Ｑ３は、それぞれ発熱による温度上昇および冷却による温度低下を繰り返す。また、抵抗Ｒ１やトランスＴ１などのその他の発熱部品でも、同様に温度上昇や温度低下を繰り返す。また、発熱部品でない電子部品３においても、ある程度の温度上昇および温度低下を繰り返す。
【００５０】
電界効果トランジスタＱ１がオンオフ動作して発熱し温度上昇すると、電界効果トランジスタＱ１のゲートＱ１ａ、このゲートＱ１ａと第１のランド１５をはんだ付けしているはんだ２２、第１のランド１５および回路基板２がそれぞれ温度上昇して熱膨張する。そして、電界効果トランジスタＱ１がオンオフ動作を停止して冷却し温度低下すると、電界効果トランジスタＱ１のゲートＱ１ａ、はんだ２２、第１のランド１５および回路基板２が温度低下して熱収縮する。
【００５１】
そして、電界効果トランジスタＱ１のゲートＱ１ａと第１のランド１５の切り欠き部２１が形成されている一部分との間に固化しているはんだ部分２２ａは、図３（ａ）に示すように、残余のはんだ部分２２ｂに比べて小さいはんだ量となっている。これにより、はんだ部分２２ａは、残余のはんだ部分２２ｂよりも温度上昇が大きく、熱膨張が大きくなり、また、温度低下が大きく、熱収縮が大きくなる。
【００５２】
そして、電界効果トランジスタＱ１の温度上昇および温度低下が繰り返され、電界効果トランジスタＱ１が寿命に近くなると、主として電界効果トランジスタＱ１のゲートＱ１ａおよびはんだ部分２２ａのそれぞれの熱膨張差および熱収縮差により、図３（ａ）に示すように、例えばはんだ部分２２ａの外表面からゲートＱ１ａの表面に至るクラック１９ａが発生する。このクラック１９ａは、さらに電界効果トランジスタＱ１の温度上昇および温度低下が繰り返されることにより、ゲートＱ１ａの表面に沿って拡大していく。
【００５３】
そして、クラック１９ａは、電界効果トランジスタＱ１が寿命となるまでには、はんだ付けしているゲートＱ１ａの全域に拡大する。これにより、電界効果トランジスタＱ１のゲートＱ１ａとはんだ２２との間に空隙が形成され、ゲートＱ１ａとチョッパ回路用集積回路１１の電気的接続が遮断される。すなわち、電界効果トランジスタＱ１は、チョッパ回路用集積回路１１によりオンオフ制御されなくなる。
【００５４】
電界効果トランジスタＱ１がオンオフ制御されなくなると、電界トランジスタＱ１は、オンオフ動作が停止し、温度低下する。そして、チョッパ回路８のコンデンサＣ３の両端間に所定の直流電圧が発生しなくなり、チョッパ回路用集積回路１１およびインバータ回路１２の所定電圧を有する動作電源が形成されなくなる。これにより、インバータ回路９の電界効果トランジスタＱ２，Ｑ３のオンオフ動作が停止し、蛍光ランプ１４が消灯する。
【００５５】
そして、第２のランド１６は、図３（ｂ）に示すように、電子部品３のリード２３の周りに、はんだ２２が均等にはんだ付けされて、部分的に熱膨張および熱収縮することを防止しているので、はんだ２２にクラックが発生しにくい。したがって、例え電子部品３が発熱部品であって寿命となっても、電子部品３は、第２のランド１６とのはんだ付けによる電気接続が維持されるものである。
【００５６】
また、インバータ回路１１の電界効果トランジスタＱ２，Ｑ３がオンオフ動作して発熱し温度上昇すると、電界効果トランジスタＱ２，Ｑ３と第１および第２のパッド１７，１８をはんだ付けしているはんだ２２、第１および第２のパッド１７，１８および回路基板２がそれぞれ温度上昇して熱膨張する。そして、電界効果トランジスタＱ２，Ｑ３がオンオフ動作を停止して冷却し温度低下すると、はんだ２２、第１および第２のパッド１７，１８および回路基板２が温度低下して熱収縮する。
【００５７】
そして、第１のパッド１７のパッド部１７ｃは、第２のパット１８のパット部１８ｃよりも小さいはんだ面に形成されているので、図５（ａ）に示すように、電界効果トランジスタＱ３のゲートＱ３ｃと第１のパッド１７のパッド部１７ｃとの間に固化しているはんだ部分２２ｃは、電界効果トランジスタＱ２のソースＱ２ｃと第２のパット１８のパット部１８ｃとの間に固化しているはんだ部分２２ｄよりも少ないはんだ量となっている。これにより、はんだ部分２２ｃは、はんだ部分２２ｄよりも温度上昇が大きく、熱膨張が大きくなり、また、温度低下が大きく、熱収縮が大きくなる。
【００５８】
そして、電界効果トランジスタＱ３の温度上昇および温度低下が繰り返され、電界効果トランジスタＱ３が寿命に近くなると、主として電界効果トランジスタＱ３のゲートＱ３ｃおよびはんだ部分２２ｃのそれぞれの熱膨張差および熱収縮差により、図５（ａ）に示すように、例えばはんだ部分２２ｃの外表面から第２のパッド１７のパッド部１７ｃの表面に至るクラック１９ｂが発生する。このクラック１９ｂは、さらに電界効果トランジスタＱ３の温度上昇および温度低下が繰り返されることにより、電界効果トランジスタＱ３のゲートＱ３ｃとパット部１７ｃとの間に沿って拡大していく。
【００５９】
そして、クラック１９ｂは、電界効果トランジスタＱ３が寿命となるまでには、電界効果トランジスタＱ３のゲートＱ３ｃとパット部１７ｃとの間の全域に拡大する。これにより、電界効果トランジスタＱ３のゲートＱ３ｃとパット部１７ｃとの間に空隙が形成され、電界効果トランジスタＱ３の電気的接続が遮断される。
【００６０】
電界効果トランジスタＱ３の電気的接続が遮断されると、電界トランジスタＱ３に電流が流れなくなり、温度低下する。そして、共振回路１０に共振電圧が発生しなくなり、蛍光ランプ１４が消灯する。
【００６１】
そして、第２のパッド１８は、図５（ｂ）に示すように、パット部１８ｃにはんだ付けしているはんだ量が多いので、その分熱容量が大きくなり、電界効果トランジスタＱ２の発熱および冷却の繰り返しに対する熱膨張および熱収縮差が小さくなって、はんだ部分２２ｄにクラックが発生しにくい。したがって、発熱部品である電界効果トランジスタＱ２は、寿命となっても、第２のパッド８とのはんだ付けによる電気接続が維持される。
【００６２】
上述したように、電気機器としての放電ランプ用点灯装置１は、電子部品３から選択された特定の電子部品としてのチョッパ回路８の電界効果トランジスタＱ１が寿命になるまでに、電界効果トランジスタＱ１を第１のランド１５にはんだ付けしているはんだ部分２２ａにクラック１９ａが発生して電気回路としての点灯回路５の動作が停止するようにしている。また、特定の電子部品としてインバータ回路９の電界効果トランジスタＱ３が選択され、電界効果トランジスタＱ３を第１のパッド１７にはんだ付けしているはんだ部分２２ｃにクラック１９ｂが発生して点灯回路５の動作が停止するようにしている。したがって、発熱部品である電界効果トランジスタＱ１，Ｑ３が寿命になったときに、電界効果トランジスタＱ１、Ｑ３からの熱により電界効果トランジスタＱ１、Ｑ３やその他の電子部品３の発火を防止することができて放電ランプ用点灯装置１の安全性を確保することができる。
【００６３】
また、特定の電子部品として電界効果トランジスタＱ１および電界効果トランジスタＱ３の２個を選択しているので、電界効果トランジスタＱ１，Ｑ３が寿命になったときに、どちらか一方のはんだ部分２２ａ，２２ｃにクラック１９ａ，１９ｂが発生する確率が高くなって、放電ランプ用点灯装置１の安全性をさらに向上させることができる。
【００６４】
また、はんだ部分２２ａ，２２ｃにクラック１９ａ，１９ｂが発生することにより、点灯回路５の動作が停止する構成であるので、第１のランド１５、第１のパッド１７、第２のランド１６および第２のパッド１８や配線パターンなどを所望に形成することにより、点灯回路５を構成する電子部品３を回路基板２に所望に配置する設計自由度を向上させることができる。
【００６５】
また、第１のランド１５および第１のパッド１７は、それぞれスイッチング素子である電界効果トランジスタＱ１のゲート（制御用端子）Ｑ１ａおよび電界効果トランジスタＱ３のゲート（制御用端子）Ｑ３ｃをはんだ付けしている。当該ゲートＱ１ａおよびゲートＱ３ｃに流れる電流は小さいので、第１のランド１５および第１のパッド１７のはんだ付け面が小さくても、オンオフ制御に対する影響が少なく、はんだ部分２２ａ，２２ｃにクラック１９ａ，１９ｂが発生したときにアーク等が発生するなどの不具合を防止することができる。
【００６６】
なお、第１のランドまたはパッドは、第２のランドまたはパッドよりも小さいはんだ付け面または電子部品と外周端との距離が第２のランドまたはパッドの同じく距離よりも小さい部分を有していればその形状は問わないものである。例えば、図７（ａ）に示す第１のランド３０は、第２のランド１６と同形状の円状に形成されているが、全体的に第２のランド１６よりも小さいものである。また、図７（ｂ）に示す第１のランド３１は、楕円形状に形成され、全体的に第２のランド１６よりも小さいものである。また、図７（ｃ）に示す第１のランド３２は、第２のランド１６と同等または大きい表面積（はんだ付け面）を有するが、一部分の外周端と電子部品３のリード２３との最小距離が第２のランド１６の外周端とリード２３との最小距離が小さいものである。
【００６７】
また、ディスクリート部品の発熱部品として、図６に示す点灯回路５の動作電源回路１３の抵抗Ｒ１を用いてもよい。この抵抗Ｒ１は、チョッパ回路８の出力電圧（コンデンサＣ３の両端間電圧）やインバータ回路９の電界効果トランジスタＱ２，Ｑ３に流れる電流などに応じて、部品定数や種類が選定される選択部品である。この選択部品に対して、回路基板２の外形シルク印刷を他の共通部品と異なる色にしておくと、点灯回路５の機種確認や抜き取り検査等における部品確認を容易に行うことができる。
【００６８】
また、電気機器は、放電ランプ用点灯装置１に限らず、モータを駆動させる駆動装置、熱を発生させる熱発生装置や直流電圧を発生する電源装置など、電気回路を形成している電気装置であればよい。
【００６９】
次に、本発明の第２の実施形態について述べる。
【００７０】
図７は、本発明の第２の実施形態を示す照明器具の概略斜視図である。なお、図１と同一部分には、同一符号を付して説明は省略する。
【００７１】
照明器具３３は、天井面等に直付けされる直付け照明器具であり、略枠状の器具本体３４の両端に一対のランプソケット３５，３５が設けられている。そして、ランプソケット３５，３５に放電ランプとしての直管形蛍光ランプ１４を装着している。また、器具本体３４は、蛍光ランプ１４と対向して断面略皿状の反射板３６を取り付けている。反射板３６の表面は、反射面３６ａに形成されている。
【００７２】
また、器具本体３４は、反射板３６の内側で、図１に示す電気機器としての放電ランプ用点灯装置１をケース底板２０の底面部２２に設けた図示しない取付け孔に通したねじにより固定している。そして、放電ランプ用点灯装置１が給電されることにより、蛍光ランプ１４が点灯する。
【００７３】
照明器具３３は、特定の電子部品であって発熱部品としてのトランジスタＱ１，Ｑ３が寿命に達するまでに放電ランプ用点灯装置１の動作が停止するので、蛍光ランプ１４の異常点灯や点灯回路５の電子部品３の発火を防止することができる。
【図面の簡単な説明】
【００７４】
【図１】本発明の第１の実施形態を示す電気機器であり、（ａ）は概略縦断面図、（ｂ）は（ａ）のＡ−Ａ方向の概略断面図。
【図２】同じく、電子部品がはんだ付けされる前のランドを示し、（ａ）は第１のランドの概略上面図、（ｂ）は第２のランドの概略上面図。
【図３】同じく、電子部品がはんだ付けされているランドを示し、（ａ）は第１のランドの概略断面図、（ｂ）は第２のランドの概略断面図。
【図４】同じく、電子部品がはんだ付けされる前のパッドを示し、（ａ）は第１のパッドの概略上面図、（ｂ）は第２のパッドの概略上面図。
【図５】同じく、電子部品がはんだ付けされているパッドを示し、（ａ）は第１のパッドの概略断面図、（ｂ）は第２のパッドの概略断面図。
【図６】同じく、電気機器の電気回路図。
【図７】同じく、他の第１のランドの概略上面図。
【図８】本発明の第２の実施形態を示す照明器具の概略斜視図。
【符号の説明】
【００７５】
Ｑ１，Ｑ３…特定の電子部品としての電界効果トランジスタ
１…電気機器
２…回路基板
３…電子部品
４…ケース
１４…放電ランプとしての直管形蛍光ランプ
１５…第１のランド
１６…第２のランド
３３…照明器具
３４…器具本体
【図１】
2009290065.tif 000003
【図２】
2009290065.tif 000004
【図３】
2009290065.tif 000005
【図４】
2009290065.tif 000006
【図５】
2009290065.tif 000007
【図６】
2009290065.tif 000008
【図７】
2009290065.tif 000009
【図８】
2009290065.tif 000010